(57)【特許請求の範囲】
【請求項１】
ブラシ毛を間に挟み込んだ金属製の複数の素線を撚り合わせて形成されたブラシ軸の、上記ブラシ毛が挟持された部分より基端寄りの部分が、合成樹脂製の支持部材に形成された孔に差し込み固定された内視鏡用ブラシにおいて、
上記ブラシ軸の上記支持部材に差し込まれる部分の側面に切り欠きが形成され、その部分が上記支持部材に加熱、圧入されることにより、上記支持部材が、上記ブラシ軸の切り欠き部に側方からめり込んだ状態に熱変形して上記ブラシ軸に溶着固定されていることを特徴とする内視鏡用ブラシ。
【請求項２】
上記切り欠きが、上記ブラシ軸の基端に形成されている請求項１記載の内視鏡用ブラシ。
【請求項３】
上記支持部材が可撓性チューブである請求項１又は２記載の内視鏡用ブラシ。
【請求項４】
上記支持部材が固形の摘みである請求項１又は２記載の内視鏡用ブラシ。
【発明の詳細な説明】
【０００１】
【発明の属する技術分野】
この発明は、内視鏡の管路内の掃除や擦過細胞診等に用いられる内視鏡用ブラシに関する。
【０００２】
【従来の技術】
内視鏡用ブラシは一般に、ブラシ毛を間に挟み込んだ複数の素線を撚り合わせて形成されたブラシ軸の基端部側の部分を、加熱して合成樹脂製の支持部材に圧入することにより、支持部材をブラシ軸に溶着固定している。
【０００３】
【発明が解決しようとする課題】
しかし、ブラシ軸を形成する撚り線は複数の単線が螺旋状に撚り合わされてネジ状になっているので、ブラシ軸と支持部材を相対的に回転させると溶着部分が比較的簡単に剥がれて、ブラシ軸が支持部材から抜け出して離脱してしまうことがある。
【０００４】
そこで本発明は、ブラシ軸と支持部材との間に相対的な回転力が加わってもブラシ軸が支持部材から離脱しない耐久性の優れた内視鏡用ブラシを提供することを目的とする。
【０００５】
【課題を解決するための手段】
上記の目的を達成するため、本発明の内視鏡用ブラシは、ブラシ毛を間に挟み込んだ複数の素線を撚り合わせて形成されたブラシ軸の、上記ブラシ毛が挟持された部分より基端寄りの部分が、合成樹脂製の支持部材に差し込み固定された内視鏡用ブラシにおいて、上記ブラシ軸の上記支持部材に差し込まれる部分に切り欠きを形成し、その部分を加熱して上記支持部材に圧入することにより、上記支持部材を上記ブラシ軸に溶着固定したことを特徴とする。
【０００６】
なお、上記切り欠きが上記ブラシ軸の側面に形成されていてもよく、上記支持部材が、上記切り欠き部に側方からめり込むように加熱、変形されていてもよい。また、上記切り欠きが、上記ブラシ軸の基端に形成されていてもよい。
【０００７】
また、上記支持部材が可撓性チューブであってもよく、或いは、上記支持部材が固形の摘みであってもよい。
【０００８】
【発明の実施の形態】
図面を参照して本発明の実施の形態を説明する。
図１は、本発明の第１の実施の形態の内視鏡用ブラシを示しており、ブラシ毛１が突設されたブラシ軸２の基端寄りのブラシ毛１のない部分が、例えば４フッ化エチレン樹脂からなる細長い可撓性チューブ３の先端に差し込まれて支持されている。この内視鏡用ブラシは、内視鏡の送気、送水、吸引等のための管路内をブラッシングして掃除するために用いられるが、擦過細胞診用等に用いてもよい。
【０００９】
ブラシ軸２は、細いステンレス鋼線からなる２本（又は３本以上）の素線を撚り合わせた撚り線によって形成されている。そして、ブラシ毛１は、ブラシ軸２の先端寄りの部分の素線の間にきつく挟み込まれて、ブラシ軸２とほぼ直角の方向に突出するようにブラシ軸２に固定されている。ブラシ軸２の基端寄りの部分には、ブラシ毛１は突設されていない。
【００１０】
ブラシ軸２の基端に近い部分の側面には、ブラシ軸２の断面をほぼ半月状に削り取った形状の切り欠き４が形成されており、ブラシ毛１が突設されていないブラシ軸２の基端寄りの部分を加熱して可撓性チューブ３の孔３ａ内に圧入することによって、孔３ａに差し込まれた部分のブラシ軸２に可撓性チューブ３が溶着固定されている。
【００１１】
そして、ＩＩ−ＩＩ断面を略示する図２にも示されるように、切り欠き４の部分では、可撓性チューブ３が切り欠き４内に側方からめり込むように加熱、変形されて係合していて、可撓性チューブ３が切り欠き４の平面部分に密着する状態で溶着されている。
【００１２】
したがって、可撓性チューブ３と切り欠き４とを相対的に回転させようとする力が働いても、その回転が切り欠き４部分で抑制されて溶着が剥がれない。なお図２には、複数の素線からなるブラシ軸２が一方の線のように略示されている。
【００１３】
図３は、本発明の第２の実施の形態の内視鏡用ブラシを示しており、ブラシ軸２を基端側に延長して、可撓性チューブ３内にほぼ全長にわたって挿通して芯金にしたものである。ただし、ブラシ軸２の撚りは可撓性チューブ３内では先端に比べて粗にしてある。他の部分の構造及び作用効果等は第１の実施の形態と同様である。
【００１４】
図４は、本発明の第３の実施の形態の内視鏡用ブラシを示しており、第２の実施の形態と同様にブラシ軸２の基端側を延長して可撓性チューブ３内に芯金として挿通し、そのブラシ軸２の基端近傍に切り欠き４を形成したものである。このように構成しても第１及び第２の実施の形態と同様の作用効果がある。
【００１５】
図５は、本発明の第４の実施の形態の内視鏡用ブラシを示しており、第３の実施の形態と同様のブラシ軸２が、さらに可撓性チューブ３の基端から突出するように延長されている。
【００１６】
そして、可撓性チューブ３の基端から突出したブラシ軸２の端部に切り欠き４が形成されていて、そこに、球状に形成された硬質のプラスチック材からなる摘み６が溶着されている。したがって、ここでは摘み６がブラシ軸２を支持している。
【００１７】
この実施の形態においては、可撓性チューブ３の基端部分を差し込むための孔６ａが摘み６に予め形成されていて、ブラシ軸２の切り欠き４部分を加熱してその孔６ａ内から摘み６に圧入することによって、ブラシ軸２に摘み６が溶着固定されている。また、可撓性チューブ３の基端部分と摘み６とは接着剤７によって接合されている。
【００１８】
図６は、本発明の第５の実施の形態の内視鏡用ブラシを示しており、可撓性チューブ３を省いて、短く形成されたブラシ軸２の基端側の部分に硬質プラスチック材からなる摘み６を溶着固定して、ブラシ軸２を支持したものである。このような内視鏡用ブラシは、内視鏡の管路の口金内を掃除するために用いられる。
【００１９】
切り欠き４はブラシ軸２の基端に形成されていて、摘み６にはブラシ軸２を差し込むための孔６ａが予め形成されている。そして、ブラシ軸２の切り欠き４部分を加熱してその孔６ａ内から摘み６に圧入することによって、ブラシ軸２に摘み６が溶着固定されている。
【００２０】
図７は、本発明の第６の実施の形態の内視鏡用ブラシを示しており、可撓性チューブ３の先端に接着などにより取り付けられたプラスチック材からなる連結部材８を、ブラシ軸２の基端側の部分に溶着固定してブラシ軸２を支持したものである。
【００２１】
切り欠き４はブラシ軸２の基端に形成されていて、連結部材８にはブラシ軸２を差し込むための孔８ａが予め形成されている。そして、ブラシ軸２の切り欠き４部分を加熱してその孔８ａ内から連結部材８に圧入することによって、ブラシ軸２に連結部材８が溶着固定されている。
【００２２】
図８は、本発明の第７の実施の形態の内視鏡用ブラシを示しており、基端部に切り欠き４が形成されたブラシ軸２の基端側の部分を加熱して可撓性チューブ３の孔３ａの先端に圧入して、可撓性チューブ３をブラシ軸２に溶着させることにより、可撓性チューブ３の先端にブラシ軸２を支持したものである。
【００２３】
【発明の効果】
本発明によれば、ブラシ軸の支持部材に差し込まれる部分に切り欠きを形成し、その部分を加熱して支持部材に圧入して支持部材をブラシ軸に溶着固定したことにより、切り欠き部における係合によってブラシ軸と支持部材との間の相対的な回転が規制されるので、ブラシ軸と支持部材との間に相対的な回転力が加わってもブラシ軸が支持部材から離脱せず、優れた耐久性を得ることができる。
【００２４】
そして、切り欠きをブラシ軸の側面に形成して、その切り欠き部に側方からめり込むように支持部材を加熱、変形させれば、ブラシ軸と支持部材との係合が強力になり、より優れた耐久性を得ることができる。
【図面の簡単な説明】
【図１】本発明の第１の実施の形態の内視鏡用ブラシの側面断面図である。
【図２】本発明の第１の実施の形態のＩＩ−ＩＩ断面図である。
【図３】本発明の第２の実施の形態の内視鏡用ブラシの側面断面図である。
【図４】本発明の第３の実施の形態の内視鏡用ブラシの側面断面図である。
【図５】本発明の第４の実施の形態の内視鏡用ブラシの側面断面図である。
【図６】本発明の第５の実施の形態の内視鏡用ブラシの側面断面図である。
【図７】本発明の第６の実施の形態の内視鏡用ブラシの側面断面図である。
【図８】本発明の第７の実施の形態の内視鏡用ブラシの側面断面図である。
【符号の説明】
１  ブラシ毛
２  ブラシ軸
３  可撓性チューブ
４  切り欠き
６  摘み
８  連結部材
【図１】
0003579528.tif 000002
【図２】
0003579528.tif 000003
【図３】
0003579528.tif 000004
【図４】
0003579528.tif 000005
【図５】
0003579528.tif 000006
【図６】
0003579528.tif 000007
【図７】
0003579528.tif 000008
【図８】
0003579528.tif 000009